(57)【要約】本発明は多機能吸着盤に関するもので、より詳細には、別途の加圧部材を備えて吸着部材の吸着力を向上させて堅固に付着することができ、吸着部材に連結されている機能性部材の形態に制限がない多機能吸着盤に関するものである。本発明の多機能吸着盤は、外周面にねじ溝が形成された締結部を上部に含み、被着物に付着されている吸着部材と、前記締結部と一体型に形成されているねじ部材と、前記締結部と結合される締結孔が形成され、前記締結孔の内壁にねじ溝を含み、前記吸着部材を加圧するための加圧部材と、及び前記ねじ部材と結合される機能性部材を含んで構成されることを特徴とする。よって、本発明による多機能吸着盤は、加圧部材を備えることにより、吸着力が向上して、被着物に堅固に付着させることができる効果があり、加圧部材自体が回転して吸着部材の中心部が自由になることにより、機能性部材の連結に制限がなく、吸着盤の使用用途が多様になる。また、弾性のある材質で形成されたキャップを通じて吸着部材の吸着程度が分かるので、吸着部材が密着面から離れることを事前に防止することができる。【選択図】図３
2009517615.tif 000002
【特許請求の範囲】
【請求項１】
外周面にねじ溝が形成された締結部を上部に含み、被着物に付着されている吸着部材と、
前記締結部と一体型に形成されているねじ部材と、
前記締結部と結合される締結穴が形成され、前記締結穴の内壁にねじ溝を含み、前記急着部材を加圧するための加圧部材と、及び
前記ねじ部材と結合される機能性部材を含む多機能吸着盤。
【請求項２】
上部に締結部を含む吸着部材と、
前記締結部と一体型に形成されているねじ部材と、
前記締結部と嵌合して固定され、外周面にねじ溝を形成したキャップと、
前記キャップと結合される締結孔が形成されており、前記締結孔の内壁にはねじ溝が形成され、前記吸着部材を加圧するための加圧部材と、及び
前記ねじ部材と結合される機能性部材を含む多機能吸着盤。
【請求項３】
前記キャップは、前記外周面の一部にねじ溝を形成したねじ溝部を含む請求項２に記載の多機能吸着盤。
【請求項４】
前記キャップの上端面の周縁の厚さが前記キャップの中心部の厚さより薄い請求項２に記載の多機能吸着盤。
【請求項５】
前記キャップは弾性材質で形成される請求項３又は請求項４に記載の多機能吸着盤。
【請求項６】
前記ねじ溝部は、前記キャップから切開されていて上下移動可能な請求項３に記載の多機能吸着盤。
【請求項７】
上部にねじ部材を含む吸着部材と、
前記ねじ部材の外径と同一の締結孔が形成されており、前記締結孔の内壁にねじ溝が形成されて前記吸着部材を加圧するための加圧部材と、及び
前記ねじ部材と結合される機能性部材を含む多機能吸着盤。
【請求項８】
前記ねじ部材は雄ねじ形態であり、前記機能性部材は前記ねじ部材と結合される雌ねじを含む請求項１〜請求項４のいずれか一項に記載の多機能吸着盤。
【請求項９】
前記ねじ部材は雌ねじ形態であり、前記機能性部材は前記ねじ部材と結合される雄ねじを含む請求項１〜請求項４のいずれか一項に記載の多機能吸着盤。
【請求項１０】
前記吸着部材の上部に前記締結部を２つ以上含む請求項１〜請求項４のいずれか一項に記載の多機能吸着盤。
【請求項１１】
前記加圧部材の外周面に加圧部材の回転を容易にするための突起あるいは角面をさらに含む請求項１〜請求項４及び請求項７のいずれか一項に記載の多機能吸着盤。
【請求項１２】
前記機能性部材は逆コ字状であり、前記機能性部材の端部に前記ねじ部材及び吸着部材を各々備える請求項１〜請求項４及び請求項７のいずれか一項に記載の多機能吸着盤。
【請求項１３】
前記機能性部材は、軸方向の垂直に孔が形成されており、前記ねじ部材と結合されているヒンジ部材と、及び
前記孔に挿入され、一側に結着されたタブねじを含み、蓋を固定するためのハンガー部材を含む請求項１〜請求項４及び請求項７のいずれか一項に記載の多機能吸着盤。
【請求項１４】
前記ハンガー部材の一側に挿入され、前記ハンガー部材を回転及び復元するためのねじれスプリングをさらに含む請求項１３に記載の多機能吸着盤。
【発明の詳細な説明】
【技術分野】
【０００１】
本発明は、多機能吸着盤に関するもので、より詳細には、別途の加圧部材を備えて吸着部材の吸着力を向上させて堅固に付着することができ、吸着部材に連結されている機能性部材の形態に制限がない多機能吸着盤に関するものである。
【背景技術】
【０００２】
一般的に、吸着盤は、ゴム材質で形成され、任意の被固定物体を固定物体に固定するときに使用されるものであって、壁面や固定物体に固体して使用する。しかし、このような吸着盤は、時間経過に伴って少しずつ外部の空気が吸着盤の付着面の内部に流入し、落ち易くなるという問題点がある。また、吸着力が弱いため、重い物を掛けたり、吊るしたりすることができないという短所もある。従来技術では、このような短所を解決するために、密着力を向上させた吸着盤が提案された。
【０００３】
図１は、従来の密着力を向上させた吸着盤を示す図である。従来技術による吸着盤は、上部に締結部１１１を含む吸着部材１１０、締結部１１１の中央に位置するねじ部材１１２、加圧部材１２０、及び機能性部材１３０を含んでいる。加圧部材１２０の上部中央には孔が形成されており、機能性部材１３０は、ねじ部材１１２に結合される雌ねじを含む。従来技術による吸着盤は、吸着部材１１０を被着物１００の方向に押し当てて取り付けた後、吸着部材１１０の上部のねじ部材１１２に加圧部材１２０を嵌着し、機能性部材１３０をねじ部材１１２に結合させる。機能性部材１３０が被着物１００の方向に移動するほど、ねじ部材１１２は機能性部材１３０の方向に引っ張られて、吸着部材１１０の下部面と被着物１００との間に真空が形成される。さらに、加圧部材１２０は、吸着部材１１０の上部面を強く押すことによって強い吸着力が発生する。
【０００４】
しかし、従来技術による吸着盤は、機能性部材を繰り返して使用すると、機能性部材の結合が緩んで吸着力が弱くなる問題点がある。
【０００５】
図２は、従来の密着力を向上させた他の吸着盤を示す図である。また他の従来技術による吸着盤は、合成ゴムや軟質プラスチックで成形され、半球状に形成された吸着部材２１０と吸着部材２１０の上部の周縁を支持する支持キャップ２２０と、吸着盤の上部の一側に結合され、支持キャップ２２０を貫通して備えられる支持軸２３０、及び支持軸２３０の上端にピボット結合され支持キャップ２２０に対して吸着部材２１０の中央部を移動させる作動レバー２４０で構成されている。吸着部材２１０を被着物２００に密着させた状態で作動レバー２４０を回旋させると、前記作動レバー２４０は、梃子の原理で吸着部材２１０を持ち上げ、このとき、吸着部材２１０の周縁は支持キャップ２２０によって被着物２００に押し当てられ固定され、中央部のみが持ち上げられることにより、被着物と吸着部材２１０との間が真空に近い陰圧状態になり、吸着盤が被着物２００に付着される。
【０００６】
しかし、他の従来技術による吸着盤は、作動レバーがシーソ運動をして吸着盤を移動させるため、ハンガー器具が作動レバーの一側に形成されている場合には、ハンガー器具が作動レバーとともに旋回し、ハンガー器具の形状や機能に制限を与えるという問題点が発生する。また、作動レバーの作動範囲が制限的であるため、吸着盤の中央部の持ち上げが限定的となる。その結果、作動レバーを作動させても真空度が低くて吸着力が弱く、重い物は吸着盤で支持することができず、活用度が低くなる。
【発明の開示】
【発明が解決しようとする課題】
【０００７】
そこで、本発明は上記従来の問題点に鑑みてなされたものであって、本発明の目的は、加圧部材を備えることで吸着力を強化させた多機能吸着盤を提供することである。
【０００８】
また、本発明の目的は、加圧部材自体が回転して締結部と結合することにより、吸着盤の機能性部材の制限なく連結できるようにした多機能吸着盤を提供することである。
【０００９】
また、本発明の目的は、吸着部材の吸着力が弱くなったことが確認できる多機能吸着盤を提供することである。
【課題を解決するための手段】
【００１０】
上記目的を達成するためになされた本発明は、外周面にねじ溝が形成された締結部を上部に含み、被着物に付着されている吸着部材と、前記締結部と一体型に形成されるねじ部材と、前記締結部と結合される締結孔が形成され、前記締結孔の内壁にねじ溝を含み、前記吸着部材を加圧するための加圧部材と、及び前記ねじ部材と結合される機能性部材を含む多機能吸着盤により達成される。
【発明の効果】
【００１１】
上記のように、本発明による多機能吸着盤は、加圧部材を備えることにより吸着力が向上して、被着物に堅固に付着させることができる効果がある。
【００１２】
また、本発明の多機能吸着盤は、加圧部材自体が回転して、吸着部材の中心部が自由になることで、機能性部材の連結に制限がなく、吸着盤の使用用途が多様になる。
【００１３】
また、本発明の多機能吸着盤は、弾性のある材質で形成されたキャップを通じて吸着部材の吸着程度が分かるので、吸着部材が密着面と離れることを事前に防止することができる。
【発明を実施するための最良の形態】
【００１４】
本発明の上記目的及び技術的構成、並びに作用効果については、本発明の好適な実施例を示した図面を参照しての以下の詳細な説明によりさらに明らかとなるであろう。
【００１５】
図３は、本発明の第１実施例による多機能吸着盤の分解斜視図である。
【００１６】
本発明の第１実施例による多機能吸着盤は、被着物３００と密着して固定され、軟質合成樹脂で成形される吸着部材３１０と、吸着部材３１０の吸着力を強くする加圧部材３２０、及び吸着部材３１０に連結されて様々な用途に使用可能な機能性部材３３０を含む。
【００１７】
吸着部材３１０は、円盤形状を有しており、上部に締結部３１１及び締結部３１１と一体になり、締結部３１１の中央に位置するねじ部材３１２を含む。本発明の第１実施例による締結部３１１は、外周面にねじ溝が形成されていて加圧部材３２０と締結される。
【００１８】
図４に示されるように、本発明の第２実施例による締結部４１１は、外周面にねじ溝が形成されていない平らな面となっている。このように締結部４１１の外周面が平らな面である場合、加圧部材３２０と結合されるキャップ４４０を備える。キャップ４４０の中央にはホール４４２が形成されており、キャップ４４０の外周面にはねじ溝を形成する。
【００１９】
このキャップ４４０は、締結部４１１と嵌合結合し、機能性部材３３０と締結部４１１の間に位置して固定されている。ここで、キャップ４４０は、吸着部材４１０の材質より強いか、或いは加圧部材３２０と同じ材質を使用することができる。
【００２０】
また、本発明の他の実施例によるキャップ４４０ａは、図４（Ａ）に示されるように、弾性のある材質で形成され、キャップ４４０外周面にねじ溝４４１ａを部分的に形成したねじ溝部を含む。部分的に形成されたねじ溝部４４３は、キャップ４４０ａから上下移動可能に切開されている。これにより、加圧部材がキャップに結合される際に、吸着部材の吸着程度に応じてねじ溝部４４３が上昇する。また、吸着部材の吸着力が減少することに伴ってねじ溝部４４３も下降するようになるので、加圧部材をよりきつく締めて、吸着部材が密着面から離れることを防止することができる。
【００２１】
本発明のまた他の実施例によるキャップ４４０ｂは、図４（Ｂ）に示されるように、弾性のある材質で形成され、キャップ４４０ｂの外周面に形成されるねじ溝４４１に近いキャップの上端面の周縁の厚さをキャップの中心部の厚さより薄く形成した弾性部４４４を含む。
【００２２】
図５及び図６は、弾性部４４４を含むキャップ４４０ｂの使用状態を示す断面図である。加圧部材３２０がキャップ４４０ｂに結合される前には、弾性部４４４とキャップ４４０ｂの上端面が平らな状態である。しかし、加圧部材３２０とキャップ４４０ｂとが結合されると、キャップ４４０が機能性部材３３０の方向に上昇することによって弾性部４４４がシワを形成するようになる。このように、吸着部材３１０の吸着力を、弾性部４４４に発生するシワを通じて判断できるので、弾性部４４４に形成されたシワがなくなって平らになれば、加圧手段３２０とキャップ４４０とをよりきつく締めて、吸着部材３１０が密着面３００から離れてしまうのを防止することができる。
【００２３】
図３及び図４に示すように、本発明の第１実施例及び第２実施例によるねじ部材（３１２、４１２）は、機能性部材３３０と吸着部材３１０とを連結するためのもので、締結部（３１１、４１１）の中央に締結部（３１１、４１１）と一体に形成されている雄ねじ形態である。本発明の他の実施例によるねじ部材３１２ａは、図３（Ａ）に示されるように、締結部３１１の中央に雄ねじの代わりに雌ねじを含むことによって機能性部材３３０ａに連結することができる。
【００２４】
加圧部材３２０は、締結部３１１と結合するための締結孔３２１と、吸着部材３１０の吸着力を向上させるための加圧部３２２を含む。締結孔３２１は、締結部３１１の外周面と同じ外周の長さを有するように形成し、締結孔３２１の内壁にねじ溝を形成して締結部３１１と結合する。加圧部３２２は、加圧部材３２０の下端面に位置し、円筒状の端を形成して吸着部材の上部面３１４と接触して吸着部材３１０を加圧する。ここで、図３（Ｂ）のように、加圧部材の外周面３２３には加圧部材３２０の回転を容易にするための突起３２４若しくは角面３２５を形成することができる。
【００２５】
機能性部材３３０は、ねじ部材３１２と結合するための雌ねじ３３１を含み、機能性部材３３０の形状は用途に応じて多様に変更することができる。本発明の他の実施例による機能性部材３３０ａは、図３（Ａ）のように、ねじ部材３１２ａと結合するために雌ねじの代りに雄ねじ３３１ａを含む。
【００２６】
図７、図８及び図９は、本発明による多機能吸着盤の使用状態を示す断面図である。
【００２７】
図７は、本発明による吸着部材３１０が被着物３００に位置している状態であって、吸着部材の下部面３１３の周縁と被着物３００とが接している。
【００２８】
このとき、吸着部材の下部面３１３は凹状であり、被着物３００と吸着部材の下部面３１３との間に、少量の空気が含まれている。吸着部材の上部の締結部３１１は、加圧部材３２０と結合されていない状態であり、ねじ部材３１２は機能性部材３３０と結合されている。
【００２９】
図８は、機能性部材３３０を被着物３００の方向に加圧する状態を示し、吸着部材の下部面３１３が被着物３００と完全に密着されている。しかし、この状態は、少しの力を加えても吸着部材３１０を被着物３００から切り離すことができるくらい吸着力が非常に弱い状態である。
【００３０】
図９は、加圧部材の締結孔３２１が締結部３１１と結合され、加圧部材の加圧部３２２は、吸着部材の上部面３１４に接している状態である。吸着部材の下部面３１３と被着物３５０とが密着している状態で加圧部材３２０を被着物３００の方向に回転させて締結部３１１と結合すると、締結部３１１が被着物３００の反対方向に持ち上げられて吸着部材の下部面３１３と被着物３００との間に真空３５０が発生する。真空３５０が生じ始めると、吸着部材の上部面３１４と加圧部３２２との間の摩擦力が大きくなって加圧部材３２０を回転させることが困難になる。この際、機能性部材３３０を被着物３００の反対方向に引っ張ると、吸着部材の上部面３１４と加圧部３２２との間に隙間が生じて加圧部材３２０を再び回転させることができる。加圧部３２２と吸着部材の上部面３１４とが完全に接触してから機能性部材３３０を離すと、機能性部材３３０を引っ張るだけの力で締結部３１１が加圧部材３２０を引っ張り、加圧部３２２は、吸着部材の上部面３１４を強く加圧する。このように、加圧部材３２０が締結部３１１と直接締結されることで、吸着部材３１０の吸着力を向上できると同時に、吸着部材３１０の吸着力を保持・固定することによってねじ部材３１２の自由な使用が可能となる。
【００３１】
また、吸着部材３１０を被着物３００から取り外すためには、機能性部材３３０に力を加えることでは外すことができず、加圧部材３２０を締結部３１１に結合するときと同様の力で締結部３１１から除去することによって外すことができる。加圧部材３２０を締結部３１１から除去しなければ、加圧部材３２０と密着している吸着部材３１０と被着物３００との間に空気が流入せず、外すことが難しい。
【００３２】
図１０は、本発明の第３実施例による多機能吸着盤の斜視図である。
【００３３】
本発明の第３実施例による多機能吸着盤は、逆コ字状の機能性部材６３０及び機能性部材６３０を除いた多機能吸着盤の構成を各々２つずつ備えている。
【００３４】
吸着部材３１０を被着物３００に密着する前の機能性部材６３０とねじ部材３１２を結合した後、吸着部材３１０を被着物３００に付着させる。このとき、加圧部材３２０は、締結部３１１と結合されていない状態で、機能性部材６３０と吸着部材３１０との間に位置している。吸着部材３１０が被着物３００に密着された後に締結部３１１と加圧部材３２０とを結合することにより、多機能吸着盤を種々の用途に使用することができる。
【００３５】
図１１は、本発明の第４実施例による多機能吸着盤の分解斜視図である。
【００３６】
本発明の第４実施例による多機能吸着盤は、吸着部材７１０の上部面に２つ以上の締結部３１１とねじ部材３１２を含む。このような多機能吸着盤は、長手方向に長く孔７３１を形成する棚台等に利用される機能性部材７３０を固定するときに使用できる。この場合は、２つ以上のねじ部材３１２を機能性部材の孔７３１に挿入してナット７６０を結合して機能性部材７３０を固定する。吸着部材７１０の下部面の周囲を加圧部材３２０の下部面の周囲より大きく形成することにより、機能性部材７３０の一方が被着物から落下したとき、物の破損を防止することができる。このように２つ以上の締結部３１１を含む１つの吸着部材７１０を使用することで、二つの吸着部材を使用したような効果が出せる。さらに、機能性部材７３０に沿って吸着部材７１０の上部に複数の締結部３１１を設けて使用すれば、大きな荷重を耐えることができるようになる。
【００３７】
図１２は、本発明の第５実施例による多機能吸着盤の分解斜視図である。
【００３８】
本発明の第５実施例による加圧部材７２０は、締結孔７２１の内径がねじ部材３１２の外径と同じく形成されており、締結部の外周面にねじを形成したり、別のキャップを備えなくても、加圧部材７２０がねじ部材３１２と直接結合して吸着部材３１０を加圧する。このような多機能吸着盤は、孔７３２が個別に形成されている機能性部材７３０の場合、各々のねじ部材３１２を機能性部材７３０の孔７３２に挿入してナット７６０を利用して結合する。
【００３９】
図１３は、本発明の第６実施例による多機能吸着盤の分解斜視図である。
【００４０】
図１４は、本発明の第６実施例による多機能吸着盤の使用状態を示す側面図である。
【００４１】
本発明の第６実施例による機能性部材８３０は、ヒンジ部材８３１とタブねじ８３５が結着されたハンガー部材８３３及びねじれスプリング８３６を含む。ヒンジ部材８３１は、ねじ部材３１２と結合され、ヒンジ部材８３１の軸方向の垂直にハンガー部材８３３を挿入するための孔８３２が形成されている。ハンガー部材８３３の一側はヒンジ部材の孔８３２に挿入され、他側はタブねじ８３５が結着されている。ねじれスプリング８３６は、ハンガー部材の直線部８３４に挿入され、ハンガー部材の直線部８３４は、ヒンジナットの孔に８３２挿入される。機能性部材８３０がねじ部材３１２に結合されると、ハンガー部材８３３は、ねじれスプリング８３６により回転可能となる。また、ハンガー部材８３３は、常に締結部３１１と水平を維持し、図１２のように、タブねじ８３５に蓋８７０を含む歯磨き粉、ペン等の蓋８７０の上部を挿入して固定する場合、タブねじ８３５に吊るされている被固定物の重さによって締結部３１１と垂直状態を維持する。この場合、吊るされている被固定物を蓋８７０から除去すれば、ねじれスプリング８３６の復元力によってハンガー部材８３３は再び締結部と水平を維持する。このような機能性部材８３０に蓋８７０を連結して使用すれば、蓋８７０の紛失を防止することができる。ここには図示されてないが、タブねじ８３５に所定の厚さを有する軟質の合成樹脂材を挿入して、タブねじ８３５の尖った端部を安全に覆う。
【００４２】
以上、本発明の好ましい実施形態について詳細に説明したが、これは例示的なものに過ぎず、本発明が属する分野の当業者であれは、添付された請求範囲に記載した本発明の思想及び要旨を逸脱しない範囲で本発明に対する修正及び変更を加えることができるということを認識しなければならない。
【図面の簡単な説明】
【００４３】
【図１】従来技術による吸着盤を示す図である。
【図２】他の従来技術による吸着盤を示す図である。
【図３】本発明の第１実施例による多機能吸着盤の分解斜視図である。
【図４】本発明の第２実施例による多機能吸着盤の分解斜視図である。
【図５】本発明の第２実施例による弾性部を含むキャップの使用状態を示す断面図である。
【図６】本発明の第２実施例による弾性部を含むキャップの使用状態を示す断面図である。
【図７】本発明による多機能吸着盤の使用状態を示す断面図である。
【図８】本発明による多機能吸着盤の使用状態を示す断面図である。
【図９】本発明による多機能吸着盤の使用状態を示す断面図である。
【図１０】本発明の第３実施例による多機能吸着盤の斜視図である。
【図１１】本発明の第４実施例による多機能吸着盤の分解斜視図である。
【図１２】本発明の第５実施例による多機能吸着盤の分解斜視図である。
【図１３】本発明の第６実施例による多機能吸着盤の分解斜視図である。
【図１４】本発明の第６実施例による多機能吸着盤の使用状態を示す側面図である。
【符号の説明】
【００４４】
３００：被着物
３１０、４１０、７１０：吸着部材
３１１、４１１：締結部
３１２、４１２：ねじ部材
３２０、７２０：加圧部材
３２１、７２１：締結孔
３３０、６３０、７３０、８３０：機能性部材
４４０、４４０ａ、４４０ｂ：キャップ
【図１】
2009517615.tif 000003
【図２】
2009517615.tif 000004
【図３】
2009517615.tif 000005
【図４】
2009517615.tif 000006
【図５】
2009517615.tif 000007
【図６】
2009517615.tif 000008
【図７】
2009517615.tif 000009
【図８】
2009517615.tif 000010
【図９】
2009517615.tif 000011
【図１０】
2009517615.tif 000012
【図１１】
2009517615.tif 000013
【図１２】
2009517615.tif 000014
【図１３】
2009517615.tif 000015
【図１４】
2009517615.tif 000016
【国際調査報告】
2009517615.tif 000017
2009517615.tif 000018